(57)【要約】【課題】目地幅を小さくしたり大きくしたりする目地調整を極めて容易に行うことができるタイルユニットと、このタイルユニットを用いたタイル張り工法を提供する。【解決手段】タイルユニット１０は、目地間隙を介して整列配置された複数枚の陶磁器製タイル１１を連結シート１５，１６によって連結したものである。連結シート１５，１６は、紙１５ａの裏面に熱可塑性接着剤層１５ｂを設けたものである。タイルユニット１０をモルタル２，３で張った後、目地幅を拡張させると、紙１５ａは切れ、接着剤層１５ｂは伸長する。【選択図】図１
2010242403.tif 000002
【特許請求の範囲】
【請求項１】
複数枚のタイルが並列され、タイルの裏面に接着された連結材によって隣接するタイル同士が連結されたタイルユニットにおいて、
該連結材は、湿潤するとタイル張り時に目地幅拡張調整力を受けたときに破断可能となる湿潤破断性連結材と、
タイル張り時に目地幅拡張調整力を受けたときに延伸する延伸性連結材とからなることを特徴とするタイルユニット。
【請求項２】
請求項１において、前記湿潤破断性連結材は紙であり、延伸性連結材は合成樹脂であることを特徴とするタイルユニット。
【請求項３】
請求項２において、前記紙と合成樹脂とが一体となって連結シートを構成していることを特徴とするタイルユニット。
【請求項４】
請求項３において、目地部における合成樹脂層の厚みが１００〜２００μｍであることを特徴とするタイルユニット。
【請求項５】
請求項３又は４において、前記連結シートに、目地部に臨む孔が設けられていることを特徴とするタイルユニット。
【請求項６】
請求項１ないし５のいずれか１項に記載のタイルユニットを、下地面に対して水性張付材料によって張り付けるタイル張り工法において、
該水性張付材料によってタイルユニットを下地面に張った後、一部のタイルに力を加えて目地幅を拡大させるようにずらして目地間隔を調整することを特徴とするタイル張り工法。
【請求項７】
請求項６において、前記水性張付材料はモルタルであることを特徴とするタイル張り工法。
【発明の詳細な説明】
【技術分野】
【０００１】
本発明は、複数個のタイルを連結シートで連結してなるタイルユニットに係り、特に、タイルの裏面に連結シートが付着されているタイルユニットに関する。また、本発明は、このタイルユニットを用いたタイル張り工法に関する。
【背景技術】
【０００２】
タイルの裏面に、隣接するタイルに架け渡すように紙などの連結材を接着剤で接着することにより、複数枚のタイルを連結してなるタイルユニットは、１回のタイル貼り操作で、複数枚のタイルを施工することができ、施工作業の軽減、工期の短縮に有効であることから、従来、内外装用タイルの施工に広く用いられている。
【０００３】
連結材としては紙が広く用いられている（例えば特開平８−１０９７３０）が、合成樹脂が用いられることもある（特開２００１−１０７５３７）。
【０００４】
タイルユニットを壁面に張った後の目地調整を行い易くするために、連結材として糸を用いることが特開平１０−３１７６３７に記載されている。
【先行技術文献】
【特許文献】
【０００５】
【特許文献１】特開平８−１０９７３０
【特許文献２】特開２００１−１０７５３７
【特許文献３】特開平１０−３１７６３７
【発明の概要】
【発明が解決しようとする課題】
【０００６】
タイルユニットを壁面にモルタル等で張った後、モルタル等が硬化する前に目地調整を行うことがある。連結材が紙よりなる場合は、目地幅を小さくするだけでなく、紙が水分を吸収して切れ易くなっているので、目地幅を大きくすることが可能である。しかしながら、紙が切れてしまうと、タイル同士を連結する機能が失われてしまう。
【０００７】
連結材が合成樹脂である上記特開平１０−３１７６３７にあっては、合成樹脂の厚さが大きいので、目地幅の調整を行なうには、カッター等で連結材を切断する必要があり、作業性に劣る。また、連結材を切断すると、タイル同士の連結機能が無くなる。
【０００８】
特開平１０−３１７６３７のように連結材を糸とした場合、目地幅を小さくするのは容易となるが、目地幅を大きくするときには、やはり糸を切る必要があるので、作業性に劣る。なお、伸長性を有した糸を用いたのでは、タイルユニットの定型性が失われてしまう。例えば、壁面に張り付けるべく吊り下げたときに糸が伸びてしまい、タイルユニットの寸法が大きくなってしまう。
【０００９】
本発明は、上記従来の問題点を解決し、目地幅を小さくしたり大きくしたりする目地調整を極めて容易に行うことができるタイルユニットと、このタイルユニットを用いたタイル張り工法を提供することを目的とする。
【課題を解決するための手段】
【００１０】
請求項１のタイルユニットは、複数枚のタイルが並列され、タイルの裏面に接着された連結材によって隣接するタイル同士が連結されたタイルユニットにおいて、該連結材は、湿潤するとタイル張り時に目地幅拡張調整力を受けたときに破断可能となる湿潤破断性連結材と、タイル張り時に目地幅拡張調整力を受けたときに延伸する延伸性連結材とからなることを特徴とするものである。
【００１１】
請求項２のタイルユニットは、請求項１において、前記湿潤破断性連結材は紙であり、延伸性連結材は合成樹脂であることを特徴とするものである。
【００１２】
請求項３のタイルユニットは、請求項２において、前記紙と合成樹脂とが一体となって連結シートを構成していることを特徴とするものである。
【００１３】
請求項４のタイルユニットは、請求項３において、目地部における合成樹脂層の厚みが１００〜２００μｍであることを特徴とするものである。
【００１４】
請求項５のタイルユニットは、請求項３又は４において、前記連結シートに、目地部に臨む孔が設けられていることを特徴とするものである。
【００１５】
請求項６のタイル張り工法は、請求項１ないし５のいずれか１項に記載のタイルユニットを、下地面に対して水性張付材料によって張り付けるタイル張り工法において、該水性張付材料によってタイルユニットを下地面に張った後、一部のタイルに力を加えて目地幅を拡大させるようにずらして目地間隔を調整することを特徴とするものである。
【００１６】
請求項７のタイル張り工法は、請求項６において、前記水性張付材料はモルタルであることを特徴とするものである。
【発明の効果】
【００１７】
本発明のタイルユニットは、紙などの湿潤破断性連結材によってタイル同士を連結しているので、タイルユニットの定型性が良好である。
【００１８】
本発明のタイルユニットを下地面に対してモルタル等の水性接着剤を用いて張付施工した後、目地調整を行うには、モルタル等が硬化する前に、好ましくは張付直後に、タイルに力を加えてタイルの位置をずらして目地幅を調整する。
【００１９】
湿潤破断性連結材は、水性接着剤水分を吸収して切れ易くなっているので、タイルに目地幅を大きくする方向に力が加えられると、容易に破断する。延伸性連結材は、この力が加えられると伸長する。これにより、延伸性連結材を破断させることなく、目地幅を拡大させる目地調整を容易に行うことができる。もちろん、目地幅を小さくする目地調整も可能である。
【００２０】
なお、湿潤破断性連結材が切れた後でも、タイル同士は延伸性連結材を介して連結されているので、タイルの剥落が防止される。
【００２１】
連結シートに孔が設けられている場合、タイルユニットを水性接着剤張りするに際し、水性接着剤の一部が孔を通って目地内に入り込む。この際、孔の内周面から水が湿潤破断性連結材中に染み込むので、湿潤破断性連結材の強度が速やかに低下する。そのため、タイルユニットを張った直後に目地幅の拡張調整を行った場合に、湿潤破断性連結材がスムーズに破断する。
【図面の簡単な説明】
【００２２】
【図１】実施の形態に係るタイルユニットの裏面図である。
【図２】実施の形態に係るタイルユニットの断面図である。
【図３】タイルユニットの施工方法を示す断面図である。
【図４】タイルユニットの施工方法を示す断面図である。
【図５】施工されたタイルユニット群の裏面図である。
【発明を実施するための形態】
【００２３】
以下、図面を参照して実施の形態について説明する。第１図は実施の形態に係るタイルユニット１０の裏面図、第２図は第１図のＢ−Ｂ線断面図である。
【００２４】
このタイルユニット１０は、目地間隙を介して整列配置された複数枚の陶磁器製タイル１１を連結シート１５，１６によって連結したものである。タイル１１は、方形であり、その裏面には一端縁から他端縁にまで延在する凸部１２が設けられ、凸部１２同士の間が溝１３となっている。溝１３は、奥側ほど幅が広くなるアリ溝である。
【００２５】
タイル１１の４辺のうち、凸部１２及び溝１３の延在方向と平行方向に延在する辺に沿う部分は凸部１２となっている。なお、この辺に沿う凸部１２においては、タイル１１の端辺ほど高さが小さくなるように、「しめ勾配」と称される傾斜面１２ａが設けられている。
【００２６】
この傾斜面１２ａを除いて、各凸部１２の頂面は同一高さの平坦面となっている。各タイル１１は、凸部１２及び溝１３を平行にして整列配置されている。
【００２７】
目地１４は外装モザイクタイル５０ｍｍ二丁（タイル実寸：４５ｍｍ×９５ｍｍ）の場合、４〜６ｍｍ特に４．２〜５．８ｍｍ程度の幅であることが好適である。この目地１４を跨ぐようにして連結シート１５，１６が各タイル１１の裏面に接着されている。連結シート１５，１６は、紙１５ａの裏面に熱可塑性接着剤層１５ｂを設けたものである。紙１５ａとしてはクラフト紙が好適であり、その厚さは１００〜１０００μｍ特に１００〜３００μｍ程度が好適である。接着剤としては、ＥＶＡ（エチレン酢酸ビニル）系、エポキシ系、ウレタン系、アクリル系、塩ビ系、変成シリコン系、オレフィン系、ポリウレタン系、ポリスチレン系などの各種熱可塑性合成樹脂又はこれらを混合した樹脂系のものが好適である。この接着剤層の厚さは５０〜３００μｍ特に１００〜２００μｍ程度が好適である。接着剤層としては、特に厚さ１００〜２００μｍのＥＶＡ層が好適である。
【００２８】
この実施の形態では、連結シート１５は略正方形であり、その中央部には直径８〜１０ｍｍ程度の小孔１５ｈが設けられている。この小孔１５ｈは、タイルユニット１０を壁面に張り付ける際にモルタルを通過させるためのものである。
【００２９】
連結シート１６は、連結シート１５を半割した長方形状のものである。
【００３０】
タイル１１を連結シート１５，１６で連結するには、作業盤上の規定位置に各連結シート１５，１６を接着剤付着面が上向きとなるように配置しておく。整列配置され、接着剤の溶融温度以上に加温されたタイル１１を、タイル１１の裏面が下向きとなるようにチャックし、作業盤上の連結シート１５，１６に押し付け、タイル１１の熱によって接着剤を溶融させ、連結シート１５，１６をタイル１１の裏面に付着させる。タイルを放冷することにより接着剤が硬化し、連結シート１５，１６がタイル１１の裏面に強固に付着し、タイルユニット１０が得られる。
【００３１】
このタイルユニット１０にあっては、４枚のタイル１１のコーナー部が臨む目地間隙交点部に連結シート１５が配置されている。凸部１２の長辺が臨むタイル１１の辺同士をつなぐように連結シート１５がタイル１１，１１の裏面に接着されている。各凸部１２及び溝１３の端部が臨むタイル１１の辺同士をつなぐように連結シート１６がタイル１１，１１の裏面に接着されている。
【００３２】
このように構成されたタイルユニット１０を第３図（ａ）のように下地面としての壁面１に対し下地モルタル２（壁面１に塗着したモルタル）及び張付モルタル３（タイルユニット１０の各タイル１１の裏面に付着させたモルタル）を用いて張付施工する。その後、目地幅を拡大する調整を行うには、モルタル２，３が硬化する前に、好ましくは張付直後に、タイル１１に壁面１に沿う方向に力Ｆを加えてタイル１１の位置をずらして目地幅を調整する。
【００３３】
タイル１１に力Ｆを加えるには、叩き板（たたきいた）と称されるゴム貼り板でタイル１１を斜めに叩いて少しずつずらすのが好ましい。紙１５ａは、モルタル中の水分を吸収して切れ易くなっているので、タイル１１に目地幅を大きくする方向に力Ｆが加えられると、容易に破断する。接着剤層１５ｂは、この力が加えられると伸長する。これにより、第３図（ｂ）のように、目地幅をｔ１からｔ２へ拡大させる目地調整を容易に行うことができる。もちろん、目地幅を小さくする目地調整も可能である。この場合、連結シート１５は、しわが入る如く変形し、目地幅が狭められる。
【００３４】
この実施の形態によると、紙１５ａが切れた後でも、タイル１１同士は接着剤層１５ｂを介して連結されているので、タイル１１の剥落が防止される。
【００３５】
この実施の形態では、連結シート１５に小孔１５ｈが設けられている。そのため、タイルユニット１０をモルタル張りするに際し、第４図の通り、モルタルの一部が小孔１５ｈを通って目地１４内に入り込む。
【００３６】
このように、小孔１５ｈにモルタルが入り込むため、小孔１５ｈの内周面に露呈する紙１５ａの端面や紙１５ａと接着剤層１５ｂとの界面から水が紙１５ａ中に染み込むので、紙１５ａの強度が速やかに低下する。そのため、タイルユニット１０をモルタルで張った直後に目地幅の拡張調整を行った場合に、紙１５ａがスムーズに破断する。
【００３７】
なお、タイルユニット１０を張った後に、タイル１１間の目地調整を行うことの必要性について第５図を参照して説明する。
【００３８】
第５図の通り、複数個のタイルユニット１０を壁面に張った場合、目地としては、タイルユニット１０のタイル１１，１１間の目地１４と、タイルユニット１０同士の間の目地Ｍとが存在する。目地Ｍの幅は、タイルユニット１０を張るときに調整することができるが、目地１４については、規定寸法ｔ１（例えば５ｍｍ）となっている。
【００３９】
壁面の下地面の寸法が目地Ｍをタイルユニット１０の目地１４の規格寸法の間隔とすれば足りるときには、目地調整は不要である。ところが、下地面の寸法のために目地Ｍの幅が目地１４の寸法５ｍｍより大きくなってしまうことがある。このような場合、目地Ｍの幅をそのままとしたのでは、壁面の目地通りが悪く、美観に劣る。
【００４０】
このような場合、例えばタイルユニット１０内のタイル１１，１１の目地１４の間隔をｔ２＝６ｍｍとし、タイルユニット１０間の目地Ｍ幅も６ｍｍとなるように調整すれば、目地通りは良好なものとなる。
【００４１】
本発明によれば、タイルユニット１０間のタイル１１，１１間の目地幅も、張付後に容易に調整することができるので、目地通りが良好なタイル張り仕上げ面となるように施工することができる。
【００４２】
上記実施の形態では、モルタルにてタイル張りを行っているが、水性接着剤を用いる場合にも適用できる。
【００４３】
上記実施の形態は本発明の一例であり、本発明は図示以外の形態とされてもよい。例えば、タイルは長方形であってもよい。半分の大きさの連結シート１６の代りに、１枚物の大きさの連結シート１５を用いてもよい。
【実施例】
【００４４】
以下、実施例及び比較例について説明する。
【００４５】
実施例１
第１図において、４５×９５ｍｍ、厚み７ｍｍ、凸部１２の幅６ｍｍ、溝１３の幅７ｍｍ、溝１３の深さ１．５ｍｍの陶器質タイルを用いた。
【００４６】
連結シート１５としては、１８ｍｍ×２０ｍｍの長方形のクラフト紙（厚さ２００μｍ）に接着剤として熱可塑性ＥＶＡ系接着剤を厚さ１００μｍに設けたものを用いた。中央の小孔１５ｈの直径は８ｍｍである。連結シート１６としては、連結シート１５を半分に切ったものを用いた。
【００４７】
各連結シート１５，１６を接着剤層が上向きとなるように作業盤上に配列しておき、１２０℃に加温した１８枚（縦６枚、横３枚）のタイル１１の整列体を真空チャックでチャックして連結シート１５，１６に押し付けて連結シート１５，１６をタイル１１の裏面に接着し、目地幅５ｍｍのタイルユニット１０を製作した。
【００４８】
このタイルユニット１０をモルタルによって壁面に張り付けた。次いで、叩き板を用いてタイル１１の間隔を６ｍｍに広げた。なお、タイルを剥してみると、紙１５ａは破断していたが、接着剤層１５ｂは破断せず、伸長していた。
【００４９】
実施例２
接着剤層の厚さを２００μｍとしたこと以外は実施例１と同様にしてタイルユニット１０を製作した。このタイルユニット１０についても、モルタル張りして目地幅を６ｍｍに調整したところ、紙１５ａは破断したが、接着剤層１５ｂは破断せず、伸長していた。
【００５０】
比較例１
接着剤層の厚さを１０００μｍとしたこと以外は実施例１と同様にしてタイルユニット１０を製作した。このタイルユニット１０についてモルタル張り後、目地幅を６ｍｍに調整しようとしたが、接着剤層１５ｂが厚過ぎて殆ど伸長せず、目地幅調整はできなかった。
【００５１】
比較例２
接着剤層の厚さを２０μｍとしたこと以外は実施例１と同様にしてタイルユニット１０を製作した。このタイルユニット１０について目地幅を６ｍｍに調整したところ、紙１５ａだけでなく接着剤層１５ｂも破断することが認められた。
また、延伸性がない接着剤層（酢ビ）としたこと以外は、実施例１と同様にしてタイルユニット１０を製作した場合も、紙１５ａと接着剤層１５ｂが破断することが認められた。
【符号の説明】
【００５２】
１０  タイルユニット
１１  タイル
１２  凸部
１３  溝
２４  目地間隙
１５，１６  連結シート
【図１】
2010242403.tif 000003
【図２】
2010242403.tif 000004
【図３】
2010242403.tif 000005
【図４】
2010242403.tif 000006
【図５】
2010242403.tif 000007